(57)【要約】【課題】慢性前立腺炎や前立腺肥大症などの改善に効果があり、自宅で安全で容易に操作ができる前立腺マッサージ器を提供する。【解決手段】表面が滑らかで丸みを持ち硬い素材で形成された直腸内に挿入可能な塊状のヘッドの下部から剛性が高く表面の滑らかなアームを湾曲させて伸ばし、その端部に操作部分であるグリップを設ける。【選択図】図１
0003123076.tif 000002
【実用新案登録請求の範囲】
【請求項１】
表面が滑らかで丸みを持ち硬い素材で形成された塊状のヘッドの下部から剛性が高く表面の滑らかなアームを湾曲させて伸ばし、その端部に操作部分であるグリップを設けた事を特徴とする前立腺マッサージ器。
【考案の詳細な説明】
【技術分野】
【０００１】  本考案は、前立腺肥大症や慢性前立腺炎の場合に前立腺の血行を良好にし、また前立腺内部に貯留している膿性の分泌物を機械的に圧出して排除するための前立腺マッサージ器に関するものである。
【背景技術】
【０００２】  従来、前立腺のマッサージは泌尿科医師が直腸内に指を挿しいれて行っていた。【０００３】  また、特許公開２００２−１６５８５７、特許公開２０００−２３３０２８、特許公表２００４−５０９７１３のように患者自身が肛門括約筋の収縮弛緩に応じて直腸内を上下して前立腺をマッサージする前立腺マッサージ器があった。【０００４】  また、特許公開２００４−１８１１６０のように先端部に丸みを持たせ、かつ先端を覆うように柔らかな素材で膨らみを持たせた棒に湾曲を持たせ、中間に深く入り込まないように凸部を設け、握り部分を設けた前立腺マッサージ器があった。
【考案の開示】
【考案が解決しようとする課題】
【０００５】  泌尿科医師による前立腺マッサージは、通院の必要があり時間や医療費を要して不便であるとともに患者によっては羞恥心を強く感じる体位をとらされるという精神的な負担があった。【０００６】  患者自身が肛門括約筋を収縮弛緩させて行う前立腺マッサージは、意識的に括約筋を何度も繰り返して収縮と弛緩を行う必要があり、一般的な成人男性にとっては括約筋の疲労をともない体力的に実行することが大変であった。特に前立腺疾患の患者数の多くを占める中高年齢者にとっては肛門括約筋を収縮弛緩するときの疲労が激しくマッサージ効果を十分に得ることが困難であった。【０００７】  先端部に丸みを持たせ、かつ先端部を覆うように柔らかな素材で膨らみを持たせた棒に湾曲を持たせ、中間に深く入り込まないように凸部を設け、握り部分を設けた前立腺マッサージ器は、棒に設けた凸部が患者の肛門や会陰部に当たってマッサージ操作の邪魔になるという欠点があった。さらにマッサージを加える先端部が柔らかいためマッサージの力によって先端部が変形し、前立腺に作用させる圧力が小さくなって十分なマッサージ効果を得る事ができないと言う問題があった。【０００８】  本考案はこれらの欠点を解決するためのものであり、患者本人または介護者等が自宅で実施することが可能であり、体力の少ない中高齢の患者であっても容易に十分なマッサージ効果を得る事ができ、また安全に操作できる前立腺マッサージ器を提供するものである。
【課題を解決するための手段】
【０００９】表面が滑らかで丸みを持ち硬い素材で形成された塊状のヘッドの下部から剛性が高く表面の滑らかなアームを湾曲させて伸ばし、その端部に操作部分であるグリップを設ける。このとき前記アームの湾曲形状を、前記ヘッドを患者の直腸内に挿入したときに前記アームが患者の会陰部近傍を通過し、さらに前記グリップが患者の腹部前方に位置するように形成する。このため前記グリップの保持が容易になり、また前記アームの湾曲部が患者の会陰部に接触するストッパの働きを成して、前記ヘッドが必要以上に直腸内に深く入り込む事が無く安全性が高い。患者または介護者等は前記グリップを手で操作することだけで前立腺のマッサージを行う事ができるので大きな体力を必要とする肛門括約筋の収縮弛緩を繰り返し行う必要が無い。前記ヘッドを直腸内に挿入すると、前記ヘッドは直腸壁の弾性力と不随意筋である内肛門括約筋の通時の締め付け力を受け、また肛門部を通過する前記アームには前記肛門括約筋の通時の締め付け力が作用する。これらの力の作用によって患者が特に意識しなくとも恥骨と前立腺を結んだ直線の延長線上で、かつ前立腺の近傍に前記ヘッドが配置される。このため患者または介護者等は、前記ヘッドの直腸内の位置を前立腺の位置に合わせて調整する手間が不要になり容易かつ確実に前立腺のマッサージを行う事ができる。さらに前記アームには患者の肛門や会陰部に当たってマッサージ操作の邪魔になるような凸部等が無い。本考案は以上の構成によって、操作が容易で安全性の高い前立腺マッサージ器を提供する事で問題点を解決している。
【考案の効果】
【００１０】  本考案の前立腺マッサージ器によれば、患者本人または介護者等が前立腺のマッサージを自宅で容易に実施する事ができるので通院の必要がなくなり、時間や医療費を節約する事ができる。また本前立腺マッサージ器は、マッサージのために体力的に身体に大きな負担のかかる肛門括約筋の収縮弛緩を繰り返し行う必要がなく、手と腕の筋力によって前立腺マッサージを実行できるので体力的な負担を少なくする事ができる。さらに手を使うのでマッサージ力を細かに調整する事ができる。また前記アームの湾曲部が患者の会陰部に接触することでその湾曲部がストッパの働きを成して、前記ヘッドが必要以上に直腸内に深く入り込む事が無いため安全性の高い前立腺マッサージ器を提供できる。さらに本前立腺マッサージ器は前立腺を押圧するヘッドが硬くまたアームの剛性を高くしており、同様に剛性の高い恥骨と前記ヘッドの両者間で前立腺を挟み込むようにして前立腺に機械的押圧をかけることができ、前立腺の血行を良好にするとともに貯留している前立腺液を十分に圧出せしめるので効果の大きな前立腺マッサージを行うことができる。
【考案を実施するための最良の形態】
【００１１】  表面が滑らかで丸みを持ち硬い素材で形成された直腸内に挿入可能な塊状のヘッドの下部から剛性が高く表面の滑らかなアームを湾曲させて伸ばし、その端部に操作部分であるグリップを設ける。前記アームの湾曲させた形状を、前記ヘッドを患者の直腸内に挿入したとき前記アームが患者の会陰部近傍を通過し、さらに操作部分であるグリップが患者の腹部前方に位置するように形成する。
【実施例】
【００１２】  以下、添付図面の図１に従って実施例を説明する。１ａは錆びにくいステンレス鋼等、または剛性が高く耐久性のあるプラスチックス等を素材にして表面が滑らかで丸みを帯び、直腸内に挿入できる大きさのほぼ球形状をなしたヘッドである。２ａは錆びにくく表面が滑らかに加工製造されたステンレス鋼製のみがき棒鋼等を素材に用いて剛性を高くしており、へッド１ａを直腸内に挿入したときに、ヘッド１ａの下部がら肛門を通過し会陰部の近傍に沿うように湾曲させ、さらに湾曲伸張して患者の腹部前方に届くように形成したアームである。３ａは患者または介護者等が握持しやすいように滑りにくいゴム材料または耐久性のあるプラスチックス等を素材にして形成したグリップである。【００１３】  次に図２を用いて別の実施例を説明する。ヘッド１ｂはヘッド１ａと同様の素材を用いているが、前立腺を押圧する部分の形状を先細に形成して、前立腺との接触面圧を大きくし、図１に示す実施例の前立腺マッサージ器よりも小さな力で同様なマッサージ効果を得られるようにしたものである。またグリップ３ｂはアーム２ｂを延長してＵ字状に曲げ加工を施すことによって握持しやすいように工夫したものであり、図１に示す実施例の前立腺マッサージ器よりも使用する素材の種類を減らすことができる。
【図面の簡単な説明】
【００１４】
【図１】本考案の前立腺マッサージ器の実施例である。
【図２】本考案の前立腺マッサージ器の別の実施例である。
【符号の説明】
【００１５】    １  ヘッド
２  アーム
３  グリップ
【図１】
0003123076.tif 000003
【図２】
0003123076.tif 000004